(57)【要約】【課題】  需要に応じて反射鏡を開閉でき、角度も調整することができるバックミラーを具えたヘルメットのバイザーを提供する。【解決手段】主本体と副本体とを含んでなるバイザーと、主本体と副本体とにそれぞれ設けられる少なくとも二以上の反射鏡と、主本体と副本体との間に設けられる開閉手段と、を含んでなる。【選択図】図１１
2009013576.tif 000002
【特許請求の範囲】
【請求項１】
主本体と副本体とを含んでなるバイザーと、
主本体と副本体とにそれぞれ設けられる少なくとも二以上の反射鏡と、
主本体と副本体との間に設けられる開閉手段と、を含んでなることを特徴とするバックミラーを具えたヘルメットのバイザー。
【請求項２】
前記開閉手段が、回動部材からなることを特徴とする請求項１に記載のバックミラーを具えたヘルメットのバイザー。
【請求項３】
前記開閉手段が、伸縮部材からなることを特徴とする請求項１に記載のバックミラーを具えたヘルメットのバイザー。
【請求項４】
前記開閉手段が、湾曲部材からなることを特徴とする請求項１に記載のバックミラーを具えたヘルメットのバイザー。
【請求項５】
前記開閉手段が、副本体の前方と主本体と一体に成形することを特徴とする請求項１に記載のバックミラーを具えたヘルメットのバイザー。
【請求項６】
前記主本体がヘルメットの外側の周辺部材と固定接続されることを特徴とする請求項１に記載のバックミラーを具えたヘルメットのバイザー。
【請求項７】
前記主本体と副本体とが、それぞれ少なくとも一以上の対応する係合部材を設けてなることを特徴とする請求項１に記載のバックミラーを具えたヘルメットのバイザー。
【請求項８】
前記副主体とヘルメットの外側の周辺部材が、それぞれ少なくとも一以上の対応する係合部材を設けてなることを特徴とする請求項１に記載のバックミラーを具えたヘルメットのバイザー。
【請求項９】
前記副主体が、ヘルメットの外側の左右の周辺部材との間に設けられることを特徴とする請求項１に記載のバックミラーを具えたヘルメットのバイザー。
【請求項１０】
前記開閉手段が、副本体とヘルメットの外側の左右の周辺部材との間に設けられることを特徴とする請求項１に記載のバックミラーを具えたヘルメットのバイザー。
【請求項１１】
前記主本体が、副本体との間に接続部材を設けてなることを特徴とする請求項１に記載のバックミラーを具えたヘルメットのバイザー。
【請求項１２】
前記少なくとも二以上の反射鏡が、いずれも副本体上に設けられることを特徴とする請求項１に記載のバックミラーを具えたヘルメットのバイザー。
【請求項１３】
前記バイザーが、両側にそれぞれ孔を設けてなり、両側にネジ孔を具えたヘルメットの外側にネジでバイザーを固定することを特徴とする請求項１に記載のバックミラーを具えたヘルメットのバイザー。
【請求項１４】
前記バイザーが、複数の固定部材を具えてなり、固定パネルで外側の前方上端縁部に複数の固定部材を具えたヘルメットに固定することができることを特徴とする請求項１に記載のバックミラーを具えたヘルメットのバイザー。
【請求項１５】
前記バイザーが、複数の固定部材を設けてなり、外側の前方上端縁部に複数の固定部材を具えたヘルメットに固定することができることを特徴とする請求項１に記載のバックミラーを具えたヘルメットのバイザー。
【請求項１６】
前記少なくとも二以上の反射鏡は、反射鏡の前方に設けられ、ヘルメットシールドを設けることを特徴とする請求項１に記載のバックミラーを具えたヘルメットのバイザー。
【請求項１７】
前記主本体の後方両側が、互いに延伸して接続することを特徴とする請求項１に記載のバックミラーを具えたヘルメットのバイザー。
【請求項１８】
前記主本体が、副本体との間に弾性部材を設けることを特徴とする請求項１に記載のバックミラーを具えたヘルメットのバイザー。
【発明の詳細な説明】
【技術分野】
【０００１】
この発明は、ヘルメットのバイザーに関し、特にバックミラーを具えたヘルメットのバイザーに関する。
【背景技術】
【０００２】
図１３は、中華民国特許登録番号０９６１１３４００号のバイザーを具えたヘルメットのバックミラーを示したものであって、バイザー１と三つの反射鏡とを含んでなる。
【０００３】
該バイザーには鏡フレーム６が設けられる。該三つの反射鏡はそのうちの第一鏡２がバイザーの後方に設けられ、第二鏡３がバイザーの前方に、第三鏡４が鏡フレーム６の上に設けられる。
【０００４】
よって、第一鏡に映し出された後方の画像が第三鏡に反射され、第三鏡に映し出された画像が第二鏡上に反射される。該第二鏡に映し出された画像が使用者の目に反射されて、使用者が振り向くことなく、後方の状況を確認することができる（使用者の目に映し出されるのは上下が逆になっていない後方の画像）。
【０００５】
バイザーと二つの反射鏡を含んでなる場合、該二つの反射鏡の内、第一鏡がバイザーの後方に設けられ、第二鏡がバイザーの前方に設けられる。
【０００６】
よって、第一鏡に映し出された後方の画像が第二鏡の上に反射される。該第二鏡に映し出された画像が使用者の目に反射されて、使用者が後方の状況を確認することができる（使用者の目に映し出されるのは上下が逆さになった後方の画像）。
【０００７】
図１４は、中華民国特許登録番号０９６１１６３４６号のバイザーを具えたヘルメットのバックミラーを示したものであって、バイザー１と、三つの反射鏡とを
含んでなる。
【０００８】
該三つの反射鏡の内の第一鏡２は、バイザーの後方に設けられ、第二鏡３がバイザーの前方に設けられ、第三鏡４が第一鏡と第二鏡との間のバイザー上に設けられる。
【０００９】
よって、第一鏡に映し出された画像が第三鏡に反射され、第三鏡に映し出された画像が第二鏡上に反射される。該第二鏡に映し出された画像が使用者の目に反射されて、使用者が後方の状況を確認することができる（使用者の目に映し出されるのは上下が逆になっていない後方の画像）。
【００１０】
しかしながら、上述の製品では、反射鏡（第一鏡２）は、ヘルメットの外側の高い位置に設けなければ、後方の画像を前方に反射して使用者の目に映し出すことができない。
【００１１】
よって、反射鏡を固定するバイザーの後方部分がヘルメットの外側の高い位置に位置していなければならない。このため、ヘルメット全体の体積が比較的大きくなる。
【００１２】
また、反射鏡は、後方の画像を前方に反射して使用者の目に映し出すことができるが、夜間には、後方車両の強烈なライトまで使用者の目に反射される。
【００１３】
よって、使用者の目が刺激を受けて安全に走行することができない。このため、反射鏡に使用者の必要な場合に応じて開閉できるようにしなければならない。
【００１４】
さらに、走行中、反射鏡が映し出す画像の中で後方に向けて転がっていく画像など、使用者が見たくない画像を映し出している場合、使用者の需要に応じて反射鏡を開閉できるようにする必要がある。
【発明の開示】
【発明が解決しようとする課題】
【００１５】
この発明は、需要に応じて反射鏡を開閉でき、角度も調整することができるバックミラーを具えたヘルメットのバイザーを提供することを課題とする。
【課題を解決するための手段】
【００１６】
そこで本発明者は、従来の技術に鑑み鋭意研究を重ねた結果、主本体と副本体とを含んでなるバイザーと、
主本体と副本体とにそれぞれ設けられる少なくとも二以上の反射鏡と、
主本体と副本体との間に設けられる開閉手段と、を含んでなるバックミラーを具えたヘルメットのバイザーの構造によって課題を解決できる点に着眼し、係る知見に基づき本発明を完成させた。
以下、この発明について具体的に説明する。
【００１７】
請求項１に記載するバックミラーを具えたヘルメットのバイザーは、主本体と副本体とを含んでなるバイザーと、
主本体と副本体とにそれぞれ設けられる少なくとも二以上の反射鏡と、
主本体と副本体との間に設けられる開閉手段と、を含んでなる。
【００１８】
請求項２に記載のバックミラーを具えたヘルメットのバイザーは、請求項１における開閉手段が、回動部材からなる。
【００１９】
請求項３に記載のバックミラーを具えたヘルメットのバイザーは、請求項１における開閉手段が、伸縮部材からなる。
【００２０】
請求項４に記載のバックミラーを具えたヘルメットのバイザーは、請求項１における開閉手段が、湾曲部材からなる。
【００２１】
請求項５に記載のバックミラーを具えたヘルメットのバイザーは、請求項１における開閉手段が、副本体の前方と主本体と一体に成形する。
【００２２】
請求項６に記載のバックミラーを具えたヘルメットのバイザーは、請求項１における主本体がヘルメットの外側の周辺部材と固定接続される。
【００２３】
請求項７に記載のバックミラーを具えたヘルメットのバイザーは、請求項１における主本体と副本体とが、それぞれ少なくとも一以上の対応する係合部材を設けてなる。
【００２４】
請求項８に記載のバックミラーを具えたヘルメットのバイザーは、請求項１における副主体とヘルメットの外側の周辺部材が、それぞれ少なくとも一以上の対応する係合部材を設けてなる。
【００２５】
請求項９に記載のバックミラーを具えたヘルメットのバイザーは、請求項１における副主体が、ヘルメットの外側の左右の周辺部材との間に設けられる。
【００２６】
請求項１０に記載のバックミラーを具えたヘルメットのバイザーは、請求項１における開閉手段が、副本体とヘルメットの外側の左右の周辺部材との間に設けられる。
【００２７】
請求項１１に記載のバックミラーを具えたヘルメットのバイザーは、請求項１における主本体が、副本体との間に接続部材を設けてなる。
【００２８】
請求項１２に記載のバックミラーを具えたヘルメットのバイザーは、請求項１における少なくとも二以上の反射鏡が、いずれも副本体上に設けられる。
【００２９】
請求項１３に記載のバックミラーを具えたヘルメットのバイザーは、請求項１におけるバイザーが、両側にそれぞれ孔を設けてなり、両側にネジ孔を具えたヘルメットの外側にネジでバイザーを固定する。
【００３０】
請求項１４に記載のバックミラーを具えたヘルメットのバイザーは、請求項１におけるバイザーが、複数の固定部材を具えてなり、固定パネルで外側の前方上端縁部に複数の固定部材を具えたヘルメットに固定することができる。
【００３１】
請求項１５に記載のバックミラーを具えたヘルメットのバイザーは、請求項１におけるバイザーが、複数の固定部材を設けてなり、外側の前方上端縁部に複数の固定部材を具えたヘルメットに固定することができる。
【００３２】
請求項１６に記載のバックミラーを具えたヘルメットのバイザーは、請求項１における少なくとも二以上の反射鏡は、反射鏡の前方に設けられ、ヘルメットシールドを設ける。
【００３３】
請求項１７に記載のバックミラーを具えたヘルメットのバイザーは、請求項１における主本体の後方両側が、互いに延伸して接続する。
【００３４】
請求項１８に記載のバックミラーを具えたヘルメットのバイザーは、請求項１における主本体が、副本体との間に弾性部材を設ける。
【発明の効果】
【００３５】
この発明のバックミラーを具えたヘルメットのバイザーは、反射鏡が需要に応じて開閉自在に設けられているため、ヘルメット全体の体積を縮小することができるという効果を有する。
【発明を実施するための最良の形態】
【００３６】
この発明は、需要に応じて反射鏡を開閉でき、角度も調整することができるバックミラーを具えたヘルメットのバイザーであって、主本体と副本体とを含んでなるバイザーと、
主本体と副本体とにそれぞれ設けられる少なくとも二以上の反射鏡と、
主本体と副本体との間に設けられる開閉手段と、を含んでなるバックミラーを具えたヘルメットのバイザー。
係る構成のバックミラーを具えたヘルメットのバイザーについて、その構造と特徴を詳述するために具体的な実施例を挙げ、以下に説明する。
【実施例】
【００３７】
この発明のヘルメットのバイザーは、主本体１−１と、副本体１−２とを含んでなるバイザー１の本体と、主本体と副本体とにそれぞれ設けられる第一鏡２、第二鏡３、第三鏡４とを含んでなる少なくとも二つ以上の反射鏡と、主本体と副本体との間に設けられる少なくとも一以上の開閉手段と、を含んでなる。
【００３８】
よって、この発明の反射鏡は開閉することができるとともに、バイザーの体積を小さくすることができる。
【００３９】
該開閉手段は、図１、２、９〜１２に開示するように、回転部材１０（くぎ、ねじ、回転盤、円形の桿体、回転棒、凸棒など主本体上で副本体を回転させることができる部材）から形成する。
【００４０】
該開閉手段は、図３、４に開示するように、伸縮部材１１（レール、溝、凸水、係合溝、孔など主本体上で副本体を滑動させて伸縮することができる部材）から形成する。
【００４１】
該開閉手段は湾曲部材（回転棒、湾曲棒、伸縮支持桿など主本体上で副本体を湾曲させることができる部材）からなる。
【００４２】
該開閉手段は、図５〜８に開示するように副本体の前方及び主本体と一体に成形する。副本体は湾曲する弾性と回復性を具えているため、上下に揺れ動かすことができる。  
【００４３】
該主本体と副本体との上にそれぞれ少なくとも一以上の対応する係合部材１２（係合フックと係合孔、孔と桿体、凹溝と凸部、ネジとネジ孔、支持体と溝など類似する作用を具えた部材）が設けられているため、副本体を必要な高さ（傾斜角度）に位置決めすることができる。
【００４４】
該主本体は、ヘルメットの外側の周辺部材（装飾用ベント、通気用ベント（Ｔｏｐ  Ｖｅｎｔ）、干渉用ベントなど）と固定接続（粘着、挟持、釘で止める、係合、挿接、一体成形など）し、ヘルメット全体をさらに美しくするとともに、ヘルメットの外側にバイザーを固定する力を高める。
【００４５】
該主本体と副本体は、それぞれ少なくとも一以上の対応する係合部材（係合フックと係合孔、孔と桿体、凹溝と凸部、ネジとネジ孔、支持体と溝など類似する作用を具えた部材）が設けられているため、副主体を適宜な高さ（傾斜角度）に位置決めすることができる。
【００４６】
該副本体とヘルメットの外側の周辺部材（装飾用ベント、通気用ベント（Ｔｏｐ  Ｖｅｎｔ）、干渉用ベントなど）にはそれぞれ少なくとも一以上の対応する係合部材（係合フックと係合孔、孔と桿体、凹溝と凸部、ネジとネジ孔、支持体と溝など類似する作用を具えた部材）が設けられているため、副主体を適宜な高さ（傾斜角度）に位置決めすることができる。
【００４７】
該副本体はヘルメットの外側の左右に設けられた部材（装飾用ベント、通気用ベント（Ｔｏｐ  Ｖｅｎｔ）、干渉用ベントなど）の間に位置決めすることができ、左右の部材で副本体を安定して保護することができる。
【００４８】
該開閉部材は、主本体と副本体との間に設けられているが、副本体とヘルメットの外側に設けられた左右の部材（装飾用ベント、通気用ベント（Ｔｏｐ  Ｖｅｎｔ）、干渉用ベントなど）との間に移動し、に設けられた副本体を開閉することができる。
【００４９】
該主本体と副本体との間には接続部材（円形の釘、挿接部材、ネジ、係合部材、弾性の係合部材、粘着体、熱溶解など類似する作用を具えた部材）を設けてもよい。
【００５０】
即ち、主本体と副本体との間には開閉部材以外に、接続部材を設けて両者を接続することができるため、組み立てる場合に便利である。
【００５１】
該少なくとも二つ以上の反射鏡は、図９、１０に開示するように、いずれも副本体上に設けられる。
【００５２】
該バイザー１は両側にそれぞれ孔５を設けてなる。よって、図１、２、５〜１２に開示するように、ネジを穿接して両側にネジ孔を具えたヘルメット７の上にバイザーを固定することができる。
【００５３】
バイザーは、下方に固定パネル８を設けてなる。該固定パネルは、バイザーと接続して固定される。
【００５４】
該固定パネル上には複数の固定部材９（固定ボタン、或いはオス・メスのヘッドを具えた固定ボタン、或いは孔）が設けられる。よって、図３、４に開示するように、バイザーが固定パネルを通して外側の前方上端縁部に複数の固定部材（固定部材、或いはネジ孔）を具えたヘルメット上に固定される。
【００５５】
反射鏡の前方に位置する少なくとも二つ以上の反射鏡は、固定パネルの上に固定して設けられる。
【００５６】
バイザー上には複数の固定部材（固定ボタン、或いはオス・メスのヘッドを具えた固定ボタン、或いは孔）が設けられる。よって、シールドが外側の前方上端縁部に複数の固定部材（固定部材、或いはネジ孔）を具えたヘルメット上に設けられる。
【００５７】
バイザー、或いはヘルメット上にヘルメットシールド（ｈｅｌｍｅｔ  ｓｈｉｅｌｄ）１３が設けられる場合、少なくとも二以上の反射鏡は反射鏡（第二鏡３、或いは第二鏡と第三鏡４を組み合わせた部材）の前方に設けられるため、ヘルメットシールドを設けることができる。
【００５８】
該主本体は、図５、６、９、１０に開示するように、後方両側が互いに延伸して接続しているため、構造の安定性が高められる。
【００５９】
該主本体は後方両側が互いに接続してフレームのような形態を形成する。よって、副主体を閉じると、主本体の上、或いは上方に嵌合するように設けられる。
【００６０】
該主本体と副本体との間には弾性部材（バネ、弾性桿など、類似する作用を具えた部材）を設けてもよい。よって、副主体が開いた状態、或いは閉じた状態を維持することができ、係合部材を別に設けて副主体の開閉状態を変えることができる。
【００６１】
バイザー（主本体と副本体）は、好みに応じて自由な形態や形状に形成することができる。
【００６２】
バイザーの主本体と副本体とは、バイザーの中央部分で主本体と副本体に分ける（バイザーの中間に接続点を設ける）など好みに応じて自由に区分することができる。
【００６３】
反射鏡は、反射角度を調整することができる。
【００６４】
反射鏡は、需要に応じて平面、或いは凸面、或いは凹面の反射鏡とする。
【００６５】
主本体と副本体との間、或いは副本体とヘルメットの外側の左右の部材との間には滑り止め、或いは動きを制御する、あるいは係合位置決め、或いは反り返り防止などの安全性を高める部材を設けてもよい。
【００６６】
上述の回動部材、或いは伸縮部材、或いは嵌合部材、或いは一体成形などは、バイザーの主本体と副本体との間には回動部材と伸縮部材とを設けるなど需要に応じてバイザー上に少なくとも一種類以上設けてもよい。
【００６７】
この発明はさまざまな反射鏡を具えたヘルメットのバイザーに適用することができる。
【００６８】
少なくとも二以上の反射鏡は反射鏡（第二鏡３、或いは第二鏡３と第三鏡４とを組み合わせた部材）の前方に設けられ、折り畳む、伸縮ができるだけれなく、反射鏡の前方には単一の反射鏡、或いは二つの反射鏡を合わせた部材であってもよい。
【００６９】
この発明は、反射鏡が需要に応じて自由に開閉することができるため、バイザーの体積が小さくなり、ヘルメットの体積も縮小することができるともに、夜間に後方車両のライトが使用者の目に反射されることを防ぐことができる。
【００７０】
この発明の反射鏡は角度を調整することができる。
【００７１】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００７２】
【図１】この発明のバックミラーを具えたヘルメットのバイザーの使用状態を示した左側面図である。（反射する作用を具えた状態）
【図２】この発明のバックミラーを具えたヘルメットのバイザーの使用状態を示した左側面図である。（反射する作用を使用しない状態）
【図３】この発明のバックミラーを具えたヘルメットのバイザーの第二の実施形態の使用状態を示した左側面図である。（反射する作用を具えた状態）
【図４】この発明のバックミラーを具えたヘルメットのバイザーの第二の実施形態の使用状態を示した左側面図である。（反射する作用を使用しない状態）
【図５】この発明のバックミラーを具えたヘルメットのバイザーの第三の実施形態の使用状態を示した左側面図である。（反射する作用を具えた状態）
【図６】この発明のバックミラーを具えたヘルメットのバイザーの第三の実施形態の使用状態を示した左側面図である。（反射する作用を使用しない状態）
【図７】この発明のバックミラーを具えたヘルメットのバイザーの第四の実施形態の使用状態を示した左側面図である。（反射する作用を使用しない状態）
【図８】この発明のバックミラーを具えたヘルメットのバイザーの第四の実施形態の使用状態を示した左側面図である。（反射する作用を具えた状態）
【図９】この発明のバックミラーを具えたヘルメットのバイザーの第五の実施形態の使用状態を示した左側面図である。（反射する作用を具えた状態）
【図１０】この発明のバックミラーを具えたヘルメットのバイザーの第五の実施形態の使用状態を示した左側面図である。（反射する作用を使用しない状態）
【図１１】この発明のバックミラーを具えたヘルメットのバイザーの第六の実施形態の使用状態を示した左側面図である。（反射する作用を具えた状態）
【図１２】この発明のバックミラーを具えたヘルメットのバイザーの第六の実施形態の使用状態を示した左側面図である。（反射する作用を使用しない状態）
【図１３】従来のバックミラーを具えたヘルメットのバイザーを示した左側面図である。
【図１４】従来のバックミラーを具えたヘルメットのバイザーの他の実施形態を示した左側面図である。
【符号の説明】
【００７３】
１         バイザー
１−１     主本体
１−２     副本体
２         第一鏡
３         第二鏡
４         第三鏡
５         孔
６         鏡フレーム
７         ヘルメット
８         固定パネル
９         固定部材
１０       回転部材
１１       伸縮部材
１２       係合部材
１３       ヘルメットシールド
【図１】
2009013576.tif 000003
【図２】
2009013576.tif 000004
【図３】
2009013576.tif 000005
【図４】
2009013576.tif 000006
【図５】
2009013576.tif 000007
【図６】
2009013576.tif 000008
【図７】
2009013576.tif 000009
【図８】
2009013576.tif 000010
【図９】
2009013576.tif 000011
【図１０】
2009013576.tif 000012
【図１１】
2009013576.tif 000013
【図１２】
2009013576.tif 000014
【図１３】
2009013576.tif 000015
【図１４】
2009013576.tif 000016